【手続補正書】
【提出日】平成18年7月3日(2006.7.3)
【手続補正１】
【補正対象書類名】特許請求の範囲
【補正対象項目名】全文
【補正方法】変更
【補正の内容】
【特許請求の範囲】
【請求項１】
オーディオ信号を表現する入力信号を受信し、オーディオ信号のエンコードされた表現を伝達する出力信号を生成するオーディオエンコーディング伝送器であって、
該オーディオエンコーディング伝送器は、
入力信号に応答してオーディオ信号の周波数サブ帯域を表現する複数のサブ帯域信号を生成する分析フィルターバンクであって、各サブ帯域信号が１以上のサブ帯域信号成分を有する、分析フィルターバンクと、
成分値の第１のインターバルでサブ帯域信号成分に対する第１の量子化精度を用い、成分値の第２のインターバルでサブ帯域信号成分に対する第２の量子化精度を用いて、１以上のサブ帯域信号のサブ帯域信号成分を量子化することにより、１以上の量子化されたサブ帯域信号を生成する前記分析フィルターバンクに接続された量子化装置であって、第１の量子化精度は第２の量子化精度より低く、第１のインターバルは第２のインターバルに隣接しており、第１のインターバルでの値は第２のインターバルでの値より小さい、量子化装置と、
量子化されたサブ帯域信号の必要情報容量を減少させる無損失エンコーディング処理を用いて量子化された１以上のサブ帯域信号をエンコードすることにより１以上のエンコードされたサブ帯域信号を生成する、前記量子化装置に接続されたエンコーダーと、
エンコードされた１以上の前記サブ帯域信号を出力信号に組み立てる前記エンコーダーに接続されたフォーマッターと、
を具備するオーディオエンコーディング伝送器。
【請求項２】
前記分析フィルターバンクは１以上の変換により実施され、サブ帯域信号成分は変換係数である、請求項１に記載のオーディオエンコーディング伝送器。
【請求項３】
前記量子化装置は、
分析フィルターバンクに接続された入力と出力を持つ伸張器と、
該伸張器の出力に接続された入力を持ち、前記エンコーダーに接続された出力を持つ一様量子化装置と、
を具備する、請求項１または請求項２に記載のオーディオエンコーディング伝送器。
【請求項４】
前記量子化装置は非一様量子化装置である、請求項１乃至請求項３のいずれか１項に記載のオーディオエンコーディング伝送器。
【請求項５】
前記量子化装置は、成分値の第３のインターバルでサブ帯域信号成分に対する第３の量子化精度を用い、第３の量子化精度は第２の量子化分解能より低く、第２のインターバルでの値は第３のインターバルでの値より小さい、請求項１乃至請求項４のいずれか１項に記載のオーディオエンコーディング伝送器。
【請求項６】
前記エンコーダーは可変長のコードを生成し、該エンコーディング処理はエンコードされる量子化されたサブ帯域信号の統計値に順応する、請求項１乃至請求項５のいずれか１項に記載のオーディオエンコーディング伝送器。
【請求項７】
前記エンコーディング処理は算術符号法により行う、請求項１乃至請求項６のいずれか１項に記載のオーディオエンコーディング伝送器。
【請求項８】
サブ帯域信号成分値の特性に応答して第２の量子化精度に対する第１の量子化精度が相対的に変化する請求項１乃至請求項７のいずれか１項に記載のオーディオエンコーディング伝送器。
【請求項９】
オーディオ信号のエンコードされた表現を伝達する入力信号を受信し、オーディオ信号を表現する出力信号を生成するオーディオデコーディング受信器であって、
該オーディオデコーディング受信器は、
入力信号から１以上のエンコードされたサブ帯域信号を取得するデフォーマッターと、
エンコードされたサブ帯域信号の必要情報容量を増加させる無損失デコーディング処理を用いて１以上のエンコードされたサブ帯域信号をデコードすることで１以上のデコードされたサブ帯域信号を生成するデフォーマッターに接続されたデコーダーであって、各デコードされたサブ帯域信号は１以上のサブ帯域信号成分を有しそしてオーディオ信号のそれぞれの周波数サブ帯域を表現する、デコーダーと、
１以上の前記デコードされたサブ帯域信号のサブ帯域信号成分を逆量子化することにより１以上の逆量子化されたサブ帯域信号を生成するデコーダーに接続された逆量子化装置であって、該逆量子化装置は、成分値の第１のインターバルでサブ帯域信号成分に対する第１の量子化精度を用い、成分値の第２のインターバルでサブ帯域信号成分に対する第２の量子化精度を用いる量子化装置を補完するものであり、ここで、第１の量子化精度は第２の量子化精度より低く、第１のインターバルは第２のインターバルに隣接しており、第１のインターバルでの値は第２のインターバルでの値より小さい、逆量子化装置と、
1以上の逆量子化されたサブ帯域信号を含む複数のサブ帯域信号に応答して出力信号を生成する逆量子化装置に接続された合成フィルターバンクと、
を具備するオーディオデコーディング受信器。
【請求項１０】
前記合成フィルターバンクは１以上の変換により実施され、サブ帯域信号成分は変換係数である、請求項９に記載のオーディオデコーディング受信器。
【請求項１１】
前記逆量子化装置は、
前記デコーダーに接続された入力を持ち、さらに出力を持つ一様逆量子化装置と、
前記一様逆量子化装置に接続された入力を持ち、さらに前記合成フィルターバンクに接続された出力を持つ圧縮器と、
を具備する請求項９又は請求項１０に記載のオーディオデコーディング受信器。
【請求項１２】
逆量子化装置は、非一様逆量子化装置である請求項９乃至請求項１１のいずれか１項に記載のオーディオデコーディング受信器。
【請求項１３】
前記逆量子化装置は量子化装置を補完するものであり、該量子化装置は成分値の第３のインターバルでサブ帯域信号成分に対する第３の量子化精度を用いる量子化装置であって、第３の量子化精度は第２の量子化分解能より低く、第２のインターバルでの値は第３のインターバルでの値より小さい、請求項９乃至請求項１２のいずれか１項に記載のオーディオデコーディング受信器。
【請求項１４】
前記デコーダーは可変長のコードをデコードし、該デコーディング処理はデコードされる量子化されたサブ帯域信号の統計値に順応する、請求項９乃至請求項１３のいずれか１項に記載のオーディオデコーディング受信器。
【請求項１５】
前記デコーディング処理は算術符号法により行う請求項９乃至請求項１４のいずれか１項に記載のオーディオデコーディング受信器。
【請求項１６】
入力信号から取得した制御情報に応答して逆量子化装置を順応させるオーディオデコーディング受信器であって、該逆量子化装置は、第１の量子化精度の第２の量子化精度に対する相対値を変化させる量子化装置と相補的に順応する、請求項９乃至請求項１５のいずれか１項に記載のオーディオデコーディング受信器。
【請求項１７】
読み込み可能であり、かつ読み込んだ装置によりオーディオエンコーディングの方法を実行ことが可能な命令を伝達する媒体であって、
該方法は、
オーディオ信号の周波数サブ帯域を表現する複数のサブ帯域信号を生成するために入力信号に分析フィルターバンクを適用するステップであって、各サブ帯域信号が１以上のサブ帯域信号成分を有する、ステップと、
１以上の量子化されたサブ帯域信号を生成するために、成分値の第１のインターバルでサブ帯域信号成分に対する第１の量子化精度を用い、成分値の第２のインターバルでサブ帯域信号成分に対する第２の量子化精度を用いて、１以上のサブ帯域信号のサブ帯域信号成分を量子化するステップであって、ここで、第１の量子化精度は第２の量子化精度より低く、第１のインターバルは第２のインターバルに隣接しており、第１のインターバルでの値は第２のインターバルでの値より小さい、ステップと、
１以上のエンコードされたサブ帯域信号を生成するために、量子化されたサブ帯域信号の必要情報容量を減少させる無損失エンコーディング処理を用いて量子化された１以上のサブ帯域信号をエンコードするステップと、
エンコードされた１以上の前記サブ帯域信号を出力信号に組み立てるステップと、
を具備する、媒体。
【請求項１８】
前記分析フィルターバンクは１以上の変換により実施され、サブ帯域信号成分は変換係数である、請求項１７に記載の媒体。
【請求項１９】
前記量子化するステップは、サブ帯域信号成分を伸張するステップと、伸張したサブ帯域信号成分を一様量子化機能により量子化するステップとを具備する、請求項１７又は請求項１８に記載の媒体。
【請求項２０】
前記量子化するステップは非一様量子化機能に従う、請求項１７乃至請求項１９のいずれか１項に記載の媒体。
【請求項２１】
前記量子化するステップは、成分値の第３のインターバルでサブ帯域信号成分に対する第３の量子化精度を用い、第３の量子化精度は第２の量子化分解能より低く、第２のインターバルでの値は第３のインターバルでの値より小さい、請求項１７乃至請求項２０のいずれか１項に記載の媒体。
【請求項２２】
前記エンコーディングは可変長のコードを生成し、前記エンコーディング処理はエンコードされる量子化されたサブ帯域信号の統計値に順応する、請求項１７乃至請求項２１のいずれか１項に記載の媒体。
【請求項２３】
前記エンコーディング処理は算術符号法により行う請求項１７乃至請求項２２のいずれか１項に記載の媒体。
【請求項２４】
前記方法において、サブ帯域信号成分値の特性に応答して第２の量子化精度に対する第１の量子化精度が相対的に変化する請求項１７乃至請求項２３のいずれか１項に記載の媒体。
【請求項２５】
読み込み可能であり、かつ読み込んだ装置によりオーディオデコーディングの方法を実行ことが可能な命令を伝達する媒体であって、
該方法は、
入力信号から1以上のエンコードされたサブ帯域信号を取得するステップと、
１以上のデコードされたサブ帯域信号を生成するために、エンコードされたサブ帯域信号の必要情報容量を増加させる無損失デコーディング処理を用いて１以上のエンコードされたサブ帯域信号をデコードするステップであって、各デコードされたサブ帯域信号は１以上のサブ帯域信号成分を有しそしてオーディオ信号のそれぞれの周波数サブ帯域を表現する、ステップと、
１以上の逆量子化されたサブ帯域信号を生成するために、１以上の前記デコードされたサブ帯域信号のサブ帯域信号成分を逆量子化するステップであって、該逆量子化は、成分値の第１のインターバルでサブ帯域信号成分に対する第１の量子化精度を用い、成分値の第２のインターバルでサブ帯域信号成分に対する第２の量子化精度を用いる量子化を補完するものであり、ここで、第１の量子化精度は第２の量子化精度より低く、第１のインターバルは第２のインターバルに隣接しており、第１のインターバルでの値は第２のインターバルでの値より小さい、ステップと、
出力信号を生成するために、1以上の逆量子化されたサブ帯域信号を含む複数のサブ帯域信号に合成フィルターバンクを適用するステップと、
を具備する、媒体。
【請求項２６】
前記合成フィルターバンクは１以上の変換により実施され、サブ帯域信号成分は変換係数である、請求項２５に記載の媒体。
【請求項２７】
前記逆量子化するステップは、一様に量子化するステップと、サブ帯域信号成分を圧縮するステップを具備する、請求項２５又は請求項２６に記載の媒体。
【請求項２８】
前記逆量子化するステップは非一様量子化機能に従う、請求項２５乃至請求項２７のいずれか１項に記載の媒体。
【請求項２９】
前記逆量子化するステップは、量子化を補完するステップであり、該量子化は成分値の第３のインターバルでサブ帯域信号成分に対する第３の量子化精度を用いる量子化であって、第３の量子化精度は第２の量子化分解能より低く、第２のインターバルでの値は第３のインターバルでの値より小さい、請求項２５乃至請求項２８のいずれか１項に記載の媒体。
【請求項３０】
前記デコーディング処理は、デコードされる量子化されたサブ帯域信号の統計値に順応する請求項２５乃至請求項２９のいずれか１項に記載の媒体。
【請求項３１】
前記デコーディング処理は算術符号法により行う請求項２５乃至請求項３０のいずれか１項に記載の媒体。
【請求項３２】
前記方法は、入力信号から取得した制御情報に応答して逆量子化するステップを順応させ、該逆量子化するステップは、第２の量子化精度に対する第１の量子化精度が相対的に変化する量子化するステップを補完するように順応する、請求項２５乃至請求項３１のいずれか１項に記載の媒体。
【請求項３３】
オーディオ信号を表現する入力信号を受信し、オーディオ信号のエンコードされた表現を伝達する出力信号を生成するオーディオエンコーディング伝送器であって、
該オーディオエンコーディング伝送器は、
入力信号に応答してオーディオ信号の周波数サブ帯域を表現する複数のサブ帯域信号を生成する分析フィルターバンクであって、各サブ帯域信号が１以上のサブ帯域信号成分を有する、分析フィルターバンクと、
量子化されたサブ帯域信号を生成するために１以上のサブ帯域信号を量子化する前記分析フィルターバンクに接続された量子化装置であって、１以上の第１のサブ帯域信号成分と該１以上の第１のサブ帯域信号成分より小さい強度の１以上の第２のサブ帯域信号成分とを有するサブ帯域信号に対して、前記第２のサブ帯域信号成分は、プッシングなしのレベルより少ない量子化レベルのレンジにプッシングされ、これにより、量子化精度を減少させ、量子化された第２のサブ帯域信号成分のエントロピーを減少させる、量子化装置と、
量子化されたサブ帯域信号の必要情報容量を減少させるエントロピーエンコーディング処理を用いて量子化された１以上のサブ帯域信号をエンコードすることにより１以上のエンコードされたサブ帯域信号を生成する、前記量子化装置に接続されたエンコーダーと、
エンコードされた１以上の前記サブ帯域信号を出力信号に組み立てる前記エンコーダーに接続されたフォーマッターと、
を具備するオーディオエンコーディング伝送器。
【請求項３４】
前記分析フィルターバンクは１以上の変換により実施され、サブ帯域信号成分は変換係数である、請求項３３に記載のオーディオエンコーディング伝送器。
【請求項３５】
前記量子化装置は、
分析フィルターバンクに接続された入力と出力を持つ伸張器と、
該伸張器の出力に接続された入力を持ち、前記エンコーダーに接続された出力を持つ一様量子化装置と、
を具備する、請求項３３または請求項３４に記載のオーディオエンコーディング伝送器。
【請求項３６】
前記量子化装置は非一様量子化装置である、請求項３３乃至請求項３５のいずれか１項に記載のオーディオエンコーディング伝送器。
【請求項３７】
前記エンコーディング処理はエンコードされる量子化されたサブ帯域信号の統計値に順応する、請求項３３乃至請求項３６のいずれか１項に記載のオーディオエンコーディング伝送器。
【請求項３８】
前記エンコーディング処理は算術符号法により行う、請求項３３乃至請求項３７のいずれか１項に記載のオーディオエンコーディング伝送器。
【請求項３９】
第２のサブ帯域信号成分がプッシングされた後の値をサブ帯域信号成分値の特性に応答して順応させる請求項３３乃至請求項３８のいずれか１項に記載のオーディオエンコーディング伝送器。
【請求項４０】
オーディオ信号のエンコードされた表現を伝達する入力信号を受信し、オーディオ信号を表現する出力信号を生成するオーディオデコーディング受信器であって、
該オーディオデコーディング受信器は、
入力信号から1以上のエンコードされたサブ帯域信号を取得するデフォーマッターと、
エンコードされたサブ帯域信号の必要情報容量を増加させるエントロピーデコーディング処理を用いて１以上のエンコードされたサブ帯域信号をデコードすることで１以上のデコードされたサブ帯域信号を生成するデフォーマッターに接続されたデコーダーであって、各デコードされたサブ帯域信号は１以上のサブ帯域信号成分を有しそしてオーディオ信号のそれぞれの周波数サブ帯域を表現する、デコーダーと、
１以上の前記デコードされたサブ帯域信号のサブ帯域信号成分を逆量子化することにより１以上の逆量子化されたサブ帯域信号を生成するデコーダーに接続された逆量子化装置であって、該逆量子化装置は、１以上の第１のサブ帯域信号成分と該１以上の第１のサブ帯域信号成分より小さい強度の１以上の第２のサブ帯域信号成分とを有するサブ帯域信号に対して、プッシングなしのレベルより少ない量子化レベルのレンジに量子化するために前記第２のサブ帯域信号成分をプッシングし、これにより量子化精度を減少させ、量子化された第２のサブ帯域信号成分のエントロピーを減少させる量子化装置を補完するものである、逆量子化装置と、
1以上の逆量子化されたサブ帯域信号を含む複数のサブ帯域信号に応答して出力信号を生成する逆量子化装置に接続された合成フィルターバンクと、
を具備するオーディオデコーディング受信器。
【請求項４１】
前記合成フィルターバンクは１以上の変換により実施され、サブ帯域信号成分は変換係数である、請求項４０に記載のオーディオデコーディング受信器。
【請求項４２】
前記逆量子化装置は、
前記デコーダーに接続された入力を持ち、さらに出力を持つ一様逆量子化装置と、
前記一様逆量子化装置に接続された入力を持ち、さらに前記合成フィルターバンクに接続された出力を持つ圧縮器と、
を具備する請求項４０又は請求項４１に記載のオーディオデコーディング受信器。
【請求項４３】
逆量子化装置は、非一様逆量子化装置である請求項４０乃至請求項４２のいずれか１項に記載のオーディオデコーディング受信器。
【請求項４４】
デコーディング処理は、デコードされる量子化されたサブ帯域信号の統計量に順応する、請求項４０乃至請求項４３のいずれか１項に記載のオーディオデコーディング受信器。
【請求項４５】
前記デコーディング処理は算術符号法により行う請求項９乃至請求項１４のいずれか１項に記載のオーディオデコーディング受信器。
【請求項４６】
入力信号から取得した制御情報に応答して逆量子化装置を順応させるオーディオデコーディング受信器であって、該逆量子化装置は、前記サブ帯域信号成分値の特性に応答して第２のサブ帯域信号成分がプッシングされたレンジの値に順応する量子化装置と相補的に順応する、請求項９乃至請求項１５のいずれか１項に記載のオーディオデコーディング受信器。
【請求項４７】
読み込み可能であり、かつ読み込んだ装置によりオーディオエンコーディングの方法を実行ことが可能な命令を伝達する媒体であって、
該方法は、
オーディオ信号の周波数サブ帯域を表現する複数のサブ帯域信号を生成するために入力信号に分析フィルターバンクを適用するステップであって、各サブ帯域信号が１以上のサブ帯域信号成分を有する、ステップと、
量子化されたサブ帯域信号を生成するために、１以上のサブ帯域信号のサブ帯域信号成分を量子化するステップであって、１以上の第１のサブ帯域信号成分と該１以上の第１のサブ帯域信号成分より小さい強度の１以上の第２のサブ帯域信号成分とを有するサブ帯域信号に対して、前記第２のサブ帯域信号成分は、プッシングなしのレベルより少ない量子化レベルのレンジにプッシングされ、これにより、量子化精度を減少させ、量子化された第２のサブ帯域信号成分のエントロピーを減少させる、ステップと、
１以上のエンコードされたサブ帯域信号を生成するために、量子化されたサブ帯域信号の必要情報容量を減少させるエントロピーエンコーディング処理を用いて量子化された１以上のサブ帯域信号をエンコードするステップと、
エンコードされた１以上の前記サブ帯域信号を出力信号に組み立てるステップと、
を具備する、媒体。
【請求項４８】
前記分析フィルターバンクは１以上の変換により実施され、サブ帯域信号成分は変換係数である、請求項４７に記載の媒体。
【請求項４９】
前記量子化するステップは、サブ帯域信号成分を伸張するステップと、伸張したサブ帯域信号成分を一様量子化機能により量子化するステップとを具備する、請求項４７又は請求項４８に記載の媒体。
【請求項５０】
前記量子化するステップは非一様量子化機能に従う、請求項４７乃至請求項４９のいずれか１項に記載の媒体。
【請求項５１】
前記エントロピーエンコーディング処理はエンコードされる量子化されたサブ帯域信号の統計値に順応する、請求項４７乃至請求項５０のいずれか１項に記載の媒体。
【請求項５２】
前記エントロピーエンコーディング処理は算術符号法により行う請求項４７乃至請求項５１のいずれか１項に記載の媒体。
【請求項５３】
前記方法において、サブ帯域信号成分値の特性に応答して前記第２のサブ帯域信号成分がプッシングされる値のレンジに順応する請求項４７乃至請求項５２のいずれか１項に記載の媒体。
【請求項５４】
読み込み可能であり、かつ読み込んだ装置によりオーディオデコーディングの方法を実行ことが可能な命令を伝達する媒体であって、
該方法は、
入力信号から1以上のエンコードされたサブ帯域信号を取得するステップと、
１以上のデコードされたサブ帯域信号を生成するために、エンコードされたサブ帯域信号の必要情報容量を増加させるエントロピーデコーディング処理を用いて１以上のエンコードされたサブ帯域信号をデコードするステップであって、各デコードされたサブ帯域信号は１以上のサブ帯域信号成分を有しそしてオーディオ信号のそれぞれの周波数サブ帯域を表現する、ステップと、
１以上の逆量子化されたサブ帯域信号を生成するために、１以上の前記デコードされたサブ帯域信号のサブ帯域信号成分を逆量子化するステップであって、該逆量子化は、１以上の第１のサブ帯域信号成分と該１以上の第１のサブ帯域信号成分より小さい強度の１以上の第２のサブ帯域信号成分とを有するサブ帯域信号に対して、プッシングなしのレベルより少ない量子化レベルのレンジに量子化するために前記第２のサブ帯域信号成分をプッシングし、これにより量子化精度を減少させ、量子化された第２のサブ帯域信号成分のエントロピーを減少させる量子化を補完するものである、ステップと、
出力信号を生成するために、1以上の逆量子化されたサブ帯域信号を含む複数のサブ帯域信号に合成フィルターバンクを適用するステップと、
を具備する、媒体。
【請求項５５】
前記合成フィルターバンクは１以上の変換により実施され、サブ帯域信号成分は変換係数である、請求項５４に記載の媒体。
【請求項５６】
前記逆量子化するステップは、一様に量子化するステップと、サブ帯域信号成分を圧縮するステップを具備する、請求項５４又は請求項５５に記載の媒体。
【請求項５７】
前記逆量子化するステップは非一様量子化機能に従う、請求項５４乃至請求項５６のいずれか１項に記載の媒体。
【請求項５８】
前記エントロピーデコーディング処理は、デコードされる量子化されたサブ帯域信号の統計値に順応する請求項５４乃至請求項５７のいずれか１項に記載の媒体。
【請求項５９】
前記エントロピーデコーディング処理は算術符号法により行う請求項５４乃至請求項５８のいずれか１項に記載の媒体。
【請求項６０】
前記方法は、入力信号から取得した制御情報に応答して逆量子化するステップを順応させ、該逆量子化するステップは、前記サブ帯域信号成分値の特性に応答して第２のサブ帯域信号成分がプッシングされたレンジの値に順応する量子化装置と相補的に順応する、請求項５４乃至請求項５９のいずれか１項に記載の媒体。